【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
変倍値の順位値と第１のビデオ画像の順位値との間の（i）第１の順位差値と、第２のビデオ画像の順位値と第１のビデオ画像の順位値との間の(ii)第２の順位差値とに基づいて、変倍値を計算するステップと；
前記変倍値と、前記第３のビデオ画像の動きベクトルとに基づいて、前記第２のビデオ画像の特定の動きベクトルを計算するステップとを含む、
前記第１のビデオ画像と、前記第２のビデオ画像と、前記第３のビデオ画像とを含むストリームのための方法。
【請求項２】
特定のビデオ画像の順位値は、他のビデオ画像に関する前記特定のビデオ画像の時間的関係を表す請求項１記載の方法。
【請求項３】
特定のビデオ画像の順位値は、一連のビデオ画像における前記特定のビデオ画像の位置を表す請求項１記載の方法。
【請求項４】
前記特定のビデオ画像の位置は、出力位置である請求項３記載の方法。
【請求項５】
ビット桁送り演算を行うと、８ビット当たり１ビット値だけ桁送りされる請求項１記載の方法。
【請求項６】
前記計算された動きベクトルを使って、前記第２ビデオ画像を復号化するステップを更に含む請求項１記載の方法。
【請求項７】
前記順位値は、時間値を表す請求項１記載の方法。
【請求項８】
前記順位値は、時間値を表さない請求項１記載の方法。
【請求項９】
前記順位値は、前記第２ビデオ画像と連携したスライス・ヘッダに蓄えられた値から演繹される請求項１記載の方法。
【請求項１０】
前記変倍値は更に、２の累乗値に基づく請求項１記載の方法。
【請求項１１】
前記第１のビデオ画像は、Iビデオ画像である請求項１記載の方法。
【請求項１２】
前記第１のビデオ画像は、Bビデオ画像である請求項１記載の方法。
【請求項１３】
前記動きベクトルの計算は、補間演算の実施を含む請求項１記載の方法。
【請求項１４】
前記動きベクトルの計算は、外挿法演算の実施を含む請求項１記載の方法。
【請求項１５】
一連の順位値は、均等でない請求項１記載の方法。
【請求項１６】
特定の順位値は、圧縮されたフオーマットで作成された請求項１記載の方法。
【請求項１７】
前記特定の順位値は、可変長符号化によって圧縮される請求項１６記載の方法。
【請求項１８】
前記特定の順位値は、算術符号化によって圧縮される請求項１６記載の方法。
【請求項１９】
特定の順位値は、ビット・ストリームに１回以上蓄えられた値から演繹される請求項１記載の方法。
【請求項２０】
（i）２の累乗値と、変倍値の順位値と第１のビデオ画像の順位値との間の（ii）第１の順位差値と、第２のビデオ画像の順位値と第１のビデオ画像の順位値との間の(ii)第２の順位差値とに基づいて、変倍値を計算するステップと；
前記変倍値と、前記第３のビデオ画像の動きベクトルとに基づいて、前記第２のビデオ画像の特定の動きベクトルを計算するステップとを含む、
前記第１のビデオ画像と、前記第２のビデオ画像と、前記第３のビデオ画像とを含むストリームのための方法。
【請求項２１】
前記計算された動きベクトルを用いて、前記第２のビデオ画像を復号化するステップを更に含む請求項２０記載の方法。
【請求項２２】
前記変倍値は、前記第２の順位差値に比例する請求項２０記載の方法。
【請求項２３】
前記変倍値は、前記第１の順位差値に逆比例する請求項２０記載の方法。
【請求項２４】
前記特定の動きベクトルを計算するステップは、算術的演算の実行を含み、前記算術的演算の実行と、２の特定累乗値による除算の実行とは等価である請求項２０記載の方法。
【請求項２５】
前記特定の動きのベクトルの計算は、算術的演算の実行を含み、前記算術的演算の実行は、ビットの桁送り操作の実行と等価である請求項２０記載の方法。
【請求項２６】
（i）第３のビデオ画像の順位値と第１のビデオ画像の順位値との間の第１位の順位差値と、(ii)第２のビデオ画像の順位値と第１のビデオ画像の順位値との間の第２の順位差値とに基づいて、変倍値を計算するステップと；
前記変倍値と、前記第３のビデオ画像の動きベクトルとに基づいて、前記第２のビデオ画像の特定の動きベクトルを計算するステップとを含み、前記特定の動きベクトルを計算するステップは、２の累乗値による除算の実行を含む、
第１のビデオ画像と、第２のビデオ画像と、第３のビデオ画像とを含むストリームのための方法。
【請求項２７】
特定のビデオ画像の順位値は、他のビデオ画像に関する前記特定のビデオ画像の時間的関係を表す請求項２６記載の方法。
【請求項２８】
特定のビデオ画像の順位値は、一連のビデオ画像における前記特定のビデオ画像の位置を特定する請求項２６記載の方法。
【請求項２９】
前記特定のビデオ画像の位置は、出力位置である請求項２８記載の方法。
【請求項３０】
前記計算された動きベクトルを用いて前記第２のビデオ画像を復号化するステップを更に含む請求項２６記載の方法。
【請求項３１】
前記変倍値は、更に、２の累乗値に基づいている請求項２６記載の方法。
【請求項３２】
（i）第１のビデオ画像の順位値と第２のビデオ画像の順位値との間の第１の順位差値と、(ii) ２の累乗値と、第３のビデオ画像の順位値と第２のビデオ画像の順位値との間の第２の順位差値とに基づく特定の値とに基づいて変倍値を計算するステップと；
前記変倍値を用いて、動きベクトルを計算するステップと；
を含む方法。
【請求項３３】
特定ビデオ画像の順位値は、他のビデオ画像に関する前記特定のビデオ画像の時間的関係を表す請求項３２記載の方法。
【請求項３４】
前記変倍値を用いるステップは、前記第３のビデオ画像に関連した動きベクトルによって変倍値を乗じることにより変倍された動きベクトルを計算するステッップを含む前記請求項３２記載の方法。
【請求項３５】
前記変倍された動きベクトルを計算するステップは、２の特定の累乗値による除算を実行するステップを含む請求項３４記載の方法。
【請求項３６】
前記２の特定の累乗値は、２５６である請求項３５記載の方法。
【請求項３７】
前記変倍された動きベクトルを計算するステップは、ビットの桁送り操作を実行するステップを含む請求項３４記載の方法。
【請求項３８】
a.
複数のビデオ画像と、少なくとも１つの順位値とを受け取るステップと；
b．前記少なくとも１つの順位値に基づいてビデオ画像の内在的B予期ブロック重付け値を計算するステップと；
を含む方法。
【請求項３９】
前記順位値は、他のビデオ画像に関する前記ビデオ画像の一時的位置を表す

請求項３８記載の方法。
【請求項４０】
a.  少なくとも１つの順位値を用いて、複数のビデオ画像を復号化するステップと、但し、前記順位値は、参照ビデオ画像選択の順序を決めるためのものである；
b.  前記順位値に基づいて、前記復号化されたビデオ画像を出力するステップと；  を含む方法。
【請求項４１】
前記順位値は、他のビデオ画像に関するビデオ画像の一時的位置を表す請求項
４０記載の方法。
【請求項４２】
請求項１乃至請求項４１の何れか１項記載の方法を実施する１組の命令を含む    
コンピュータ・プログラムが少なくとも１つのプロセッサで実行されるところの、前記コンピュータ・プログラムを蓄えるコンピュータ可読媒体。
【請求項４３】
請求項１乃至請求項４１の何れか１項記載のステップを実行する手段を含む    
コンピュータ・システム。